(57)【要約】【課題】建具全体の見込み寸法および枠や框の見付け寸法が小型化でき、建具の意匠性を良好にすることができる錠装置、建具およびカーテンウォールを提供すること。【解決手段】室内障子４の縦框６の第１見込み面６４に錠操作部１３が設けられ、施錠位置および解錠位置において操作レバー１３２が下向きや上向きになるように支持されているので、常時において操作レバー１３２を含む錠装置１０が室内側に突出することがない。従って、室内障子４の室内側に余計なふところ空間を形成する必要がなく、見込み寸法の拡大が防止できるとともに、錠操作部１３を含む錠装置１０が室内側に突出しないことで、室内障子４の室内面をフラットに形成することができ、内観の意匠性を向上させることができる。さらに、第１見込み面６４に錠操作部１３が設けられているので、縦框６の見付け寸法を小型化することができる。【選択図】図２
2009019456.tif 000002
【特許請求の範囲】
【請求項１】
枠体に開閉自在に支持された面材の施錠および解錠状態を切り替え操作可能に構成された錠装置であって、
前記枠体を構成する枠材と前記面材を構成する框材とのうち、いずれか一方に設けられる錠装置本体と、他方に設けられる錠受け部とを備え、
前記錠装置本体は、前記枠材および前記框材の一方の見込み面に設けられる錠操作部と、この錠操作部の操作に連動する錠連動部と、この錠連動部に連結されて前記錠受け部と係合可能な錠係合部とを少なくとも有して構成され、
前記錠操作部は、前記見込み面に固定される台座部と、この台座部に回動自在に支持されて施錠位置と解錠位置との間を回動操作される操作部材と、この操作部材の回動操作を前記錠連動部に伝達する操作伝達機構とを有し、
前記操作部材は、前記枠材および框材の長手方向に沿った前記施錠位置から、前記枠材および前記框材の一方の室内側側面よりも室内側に突出する中間位置を経て、前記施錠位置に対して略１８０°回動した前記解錠位置までの間、および前記解錠位置から前記中間位置を経て前記施錠位置までの間を回動可能に構成され、
前記錠受け部と前記錠係合部とが係合した施錠状態において、前記施錠位置と前記中間位置との間では、前記操作部材の回動操作が前記操作伝達機構によって遮断されて前記錠連動部に伝達されないとともに、前記中間位置から前記解錠位置まで前記操作部材が回動操作された場合には、この回動操作が前記操作伝達機構によって前記錠連動部に伝達され、前記錠係合部が前記錠受け部から外れて解錠状態とされ、
前記解錠状態において、前記解錠位置と前記中間位置との間では、前記操作部材の回動操作が前記操作伝達機構によって遮断されて前記錠連動部に伝達されないとともに、前記中間位置から前記施錠位置まで前記操作部材が回動操作された場合には、この回動操作が前記操作伝達機構によって前記錠連動部に伝達され、前記錠係合部が前記錠受け部に係合して施錠状態とされる錠装置。
【請求項２】
前記操作伝達機構は、前記操作部材に連結された第１伝達部材と、前記錠連動部に接続される第２伝達部材とを少なくとも有して構成され、
前記第１および第２の伝達部材は、同一の回転軸回りに回転可能に支持され、これらのうちのいずれか一方には、前記回転軸から偏心した位置で他方に向かって突出する伝達凸部が形成され、他方には、前記伝達凸部を受け入れ可能で、かつ前記回転軸回りの周方向の長さ寸法が当該伝達凸部の幅寸法よりも所定角度分だけ大きく形成された伝達凹部が形成されている請求項１に記載の錠装置。
【請求項３】
前記錠係合部および錠受け部は、それぞれ複数で設けられ、前記複数の錠係合部は、長尺状に形成されかつ前記枠材および前記框材の一方の長手方向に沿ってスライド移動自在に支持されたスライド部材を介して前記錠連動部に連結されている請求項１または請求項２に記載の錠装置。
【請求項４】
建物開口部に固定される枠体と、この枠体に開閉自在に支持される面材と、請求項１から請求項３のいずれかに記載の錠装置とを備えた建具であって、
前記面材は、上框、下框および左右の縦框を四周框組みした内部にパネル材を取り付けて構成され、
前記枠体を構成する左右の縦枠材の少なくとも一方に前記錠装置を構成する錠受け部が設けられ、前記左右の縦框の少なくとも一方に前記錠装置を構成する錠装置本体が設けられている建具。
【請求項５】
前記縦框は、前記錠装置本体の錠操作部が設けられる第１見込み面と、この第１見込み面の室外側から見付け方向内方に延びる室外側見付け面と、この室外側見付け面から室外側に延びて前記枠材に対向する第２見込み面とを有して形成され、
前記錠装置本体の錠連動部と錠係合部とは、前記第１見込み面の見付け方向内方側から前記室外側見付け面の室外側に延びて設けられる連結部材を介して連結され、
前記錠装置本体の錠係合部は、前記第２見込み面に沿って上下移動自在に支持され、前記錠受け部は、前記第２見込み面と対向する前記枠材の見込み面に設けられている請求項４に記載の建具。
【請求項６】
前記縦框の第１見込み面と室外側見付け面との交差位置、および前記第２見込み面の室外側端部位置の少なくとも一方には、前記枠材と気密材を介して当接する気密ラインが設けられている請求項５に記載の建具。
【請求項７】
前記面材は、閉鎖位置から所定距離だけ室内側に移動された第１開放位置から左右の少なくとも一方にスライドされた第２開放位置まで開放操作され、前記第１開放位置にスライドされてから室外側の閉鎖位置に移動されて閉鎖位置まで閉鎖操作される請求項４から請求項６のいずれかに記載の建具。
【請求項８】
前記面材は、閉鎖位置において互いに略同一面内に隣接する少なくとも一対で構成され、これら一対の面材における互いに対向した縦框の見込み面同士の隙間に前記錠装置本体の錠操作部が位置し、室内側に開口した当該隙間の開口部から前記錠操作部の操作部材が室内側に回動操作可能に構成されている請求項４から請求項７のいずれかに記載の建具。
【請求項９】
建物の外壁面に設けられる外側面体と、この外側面体の室内側に設けられる中間空間と、この中間空間と室内空間とを仕切る内側面体とを備えたカーテンウォールであって、
前記内側面体が請求項４から請求項８のいずれかに記載の建具で構成されたカーテンウォール。
【発明の詳細な説明】
【技術分野】
【０００１】
本発明は、錠装置、建具およびカーテンウォールに関し、詳しくは、面材の施錠、解錠を切り替え操作可能な各種錠装置のなかでもいわゆるグレモン錠に類する錠装置、この錠装置を備えた建具およびカーテンウォールに関する。
【背景技術】
【０００２】
従来、開き窓や縦辷り出し窓等の建具に設けられる錠装置として、ハンドルを回転操作することで錠本体がロッド（摺動桿）を上下動させ、そのロッドに固定した係止部が錠受けに係合することで、障子（面材）を施錠するグレモン錠が知られている（例えば、特許文献１参照）。このグレモン錠では、ハンドル、錠本体およびロッドが障子の縦框に取り付けられ、錠受けが窓枠（枠体）の縦枠に取付けられている。そして、縦框には、中空部が形成されており、この中空部に錠本体が設置されるとともに、縦框の見込み面に設けた切り欠きを通してロッドと連結されている。さらに、ハンドルは、縦框の室内側側面に設けられ、見込み方向に沿った回動軸を介して錠本体に連結されている。
【０００３】
【特許文献１】特開２００１−５５８５４号公報
【発明の開示】
【発明が解決しようとする課題】
【０００４】
しかしながら、従来のグレモン錠では、ハンドルが障子から室内側に突出して設けられているため、ハンドルが邪魔になる、あるいは邪魔にならないように窓枠や窓額縁等で障子の室内側にふところ空間を形成する必要があり、建具の見込み寸法が大型化するという問題がある。また、ハンドルが突出しているため、面材の室内側に他の面材が設けられるスライド開閉形式の建具（引違い窓や上げ下げ窓等）に、当該グレモン錠を用いることができず、利用範囲が制限されてしまうという問題もある。さらには、障子の縦框の室内側側面にハンドルが設けられ、縦框の見込み面から見付け方向に突出してロッドや係止部が設けられているため、妙框の縦框の見付け幅寸法が大きくなったり、縦框と縦枠との間隔寸法が大きくなったりして、見付け方向における枠および框全体の幅が拡大されてしまい、建具の有効開口面積が小さくなったり意匠性が低下したりなどの問題もある。
【０００５】
本発明の目的は、建具全体の見込み寸法および枠や框の見付け寸法が小型化でき、建具の意匠性を良好にすることができる錠装置、建具およびカーテンウォールを提供することにある。
【課題を解決するための手段】
【０００６】
本発明の錠装置は、枠体に開閉自在に支持された面材の施錠および解錠状態を切り替え操作可能に構成された錠装置であって、前記枠体を構成する枠材と前記面材を構成する框材とのうち、いずれか一方に設けられる錠装置本体と、他方に設けられる錠受け部とを備え、前記錠装置本体は、前記枠材および前記框材の一方の見込み面に設けられる錠操作部と、この錠操作部の操作に連動する錠連動部と、この錠連動部に連結されて前記錠受け部と係合可能な錠係合部とを少なくとも有して構成され、前記錠操作部は、前記見込み面に固定される台座部と、この台座部に回動自在に支持されて施錠位置と解錠位置との間を回動操作される操作部材と、この操作部材の回動操作を前記錠連動部に伝達する操作伝達機構とを有し、前記操作部材は、前記枠材および框材の長手方向に沿った前記施錠位置から、前記枠材および前記框材の一方の室内側側面よりも室内側に突出する中間位置を経て、前記施錠位置に対して略１８０°回動した前記解錠位置までの間、および前記解錠位置から前記中間位置を経て前記施錠位置までの間を回動可能に構成され、前記錠受け部と前記錠係合部とが係合した施錠状態において、前記施錠位置と前記中間位置との間では、前記操作部材の回動操作が前記操作伝達機構によって遮断されて前記錠連動部に伝達されないとともに、前記中間位置から前記解錠位置まで前記操作部材が回動操作された場合には、この回動操作が前記操作伝達機構によって前記錠連動部に伝達され、前記錠係合部が前記錠受け部から外れて解錠状態とされ、前記解錠状態において、前記解錠位置と前記中間位置との間では、前記操作部材の回動操作が前記操作伝達機構によって遮断されて前記錠連動部に伝達されないとともに、前記中間位置から前記施錠位置まで前記操作部材が回動操作された場合には、この回動操作が前記操作伝達機構によって前記錠連動部に伝達され、前記錠係合部が前記錠受け部に係合して施錠状態とされることを特徴とする。
【０００７】
ここで、本発明の錠装置を適用する建具としては、開き窓や縦辷り出し窓等の建具に限らず引違い窓や片引き窓、上げ下げ窓等のサッシ窓であってもよく、また窓に限らずドアや引き戸等であってもよい。また、錠操作部の操作部材としては、手で掴むことができる操作ハンドルに限らず、各種のレバーやつまみ等が利用可能である。さらに、錠連動部としては、錠操作部と錠係合部とを連動可能に接続するカムやギアなどであってもよく、その他各種の連動機構が利用可能である。また、操作伝達機構としては、操作部材の回動操作における所定角度分の操作を空回りさせることができるものであれば、任意の機構が利用可能である。また、錠受け部としては、枠体や框材に取り付けられた錠受け部材（ピンや係止片）であってもよく、枠体や框材に形成されて錠係合部と係合可能な係合孔や突起であってもよい。
【０００８】
以上の錠装置によれば、枠材や框材の見込み面に錠操作部を設け、施錠位置および解錠位置において枠材や框材の長手方向に沿うように操作部材を回動自在に支持させたことで、施錠または解錠操作時以外の常時においては、操作部材を含む錠操作部が室内側に突出することがない。従って、操作部材が邪魔になることがなく、見込み方向に余計なふところ空間を形成する必要もないので、建具の見込み寸法の拡大が防止できるとともに、従来のようなハンドルを取り付けるための見付け寸法を枠材や框材に確保する必要がなく、枠材や框材の見付け寸法を小型化することができる。さらに、錠操作部が室内側に突出せず、操作部材も操作中における中間位置を除いて室内側に突出しないことで、枠体や面材の室内面をフラットに形成することができ、建具の意匠性を向上させることができる。
【０００９】
また、操作伝達機構によって操作部材の回動操作が錠連動部に伝達されない区間が設定され、すなわち施錠状態における施錠位置と中間位置との間、および解錠状態における解錠位置と中間位置との間では、操作部材が空回りするように構成されている。そして、施錠状態において、中間位置を超えれば回動操作が伝達されて解錠位置まで操作することで解錠され、解錠状態において、中間位置を超えれば回動操作が伝達されて施錠位置まで操作することで施錠されるように構成されている。このような構成によれば、先ず、指や鉤棒などの適宜な手段を用いて、操作部材を中間位置まで回動させて面材の室内側側面から突出させておき、その状態から解錠位置または施錠位置まで操作部材を室外側に押し込むようにして操作することができ、操作部材を手で掴まなくても、例えば手のひらで押すだけで操作可能となる。すなわち、解錠や施錠のために操作力が必要な回動範囲においては、押し込み操作が可能になっている。従って、操作部材のサイズ、特に回動軸に沿った厚さ寸法を小さくしても操作性を阻害することがないので、操作部材を見付け方向に薄型化することができ、枠材や框材の見付け方向外側への突出寸法も小さくすることができる。
ところで、従来のハンドルは、框材から室内側に延びる回動軸と、手で掴むための把持部とでＬ字形に形成され、把持部と面材との間に手が入るだけの空間を設ける必要があるため、ハンドル全体の室内側への突出寸法が小さくできなかった。これに対して本発明によれば、小型化可能な操作部材および錠操作部を枠材や框材の見込み面に設けることで、枠体や框体の見付け寸法の小型化を促進させるとともに、錠装置が目立たず意匠性に優れた建具を構成することができる。
【００１０】
この際、本発明の錠装置では、前記操作伝達機構は、前記操作部材に連結された第１伝達部材と、前記錠連動部に接続される第２伝達部材とを少なくとも有して構成され、前記第１および第２の伝達部材は、同一の回転軸回りに回転可能に支持され、これらのうちのいずれか一方には、前記回転軸から偏心した位置で他方に向かって突出する伝達凸部が形成され、他方には、前記伝達凸部を受け入れ可能で、かつ前記回転軸回りの周方向の長さ寸法が当該伝達凸部の幅寸法よりも所定角度分だけ大きく形成された伝達凹部が形成されていることが好ましい。
このような構成によれば、施錠状態における施錠位置と中間位置との間および解錠状態における解錠位置と中間位置との間では、操作部材が空回りして回動操作を錠連動部に伝達させず、施錠状態における中間位置を超えた解錠位置方向および解錠状態における中間位置を超えた施錠位置方向には、操作部材の回動操作を錠連動部に伝達させる伝達機構が構成される。従って、比較的簡単な構造で操作伝達機構が構成でき、かつ解錠操作および施錠操作を確実に実施することができる。
【００１１】
また、本発明の錠装置では、前記錠係合部および錠受け部は、それぞれ複数で設けられ、前記複数の錠係合部は、長尺状に形成されかつ前記枠材および前記框材の一方の長手方向に沿ってスライド移動自在に支持されたスライド部材を介して前記錠連動部に連結されていることが好ましい。
この構成によれば、錠係合部および錠受け部をそれぞれ複数設けたことで、施錠強度を高めることができ、施錠状態における面材の移動や脱落を確実に防止することができる。さらに、枠材や框材の長手方向に沿ってスライド移動自在な長尺状のスライド部材に錠係合部を設けることで、複数の錠係合部同士を互いに離隔した位置に設けることができ、施錠状態において面材が傾斜するような移動を確実に防止し、施錠強度をさらに高めることができる。
【００１２】
一方、本発明の建具は、建物開口部に固定される枠体と、この枠体に開閉自在に支持される面材と、前記いずれかの錠装置とを備えた建具であって、前記面材は、上框、下框および左右の縦框を四周框組みした内部にパネル材を取り付けて構成され、前記枠体を構成する左右の縦枠材の少なくとも一方に前記錠装置を構成する錠受け部が設けられ、前記左右の縦框の少なくとも一方に前記錠装置を構成する錠装置本体が設けられていることを特徴とする。
このような建具によれば、前述と同様に、枠材や框材の見付け寸法を小型化することができるとともに、枠体や面材の室内面をフラットに形成して建具の意匠性を向上させることができる。
【００１３】
この際、本発明の建具では、前記縦框は、前記錠装置本体の錠操作部が設けられる第１見込み面と、この第１見込み面の室外側から見付け方向内方に延びる室外側見付け面と、この室外側見付け面から室外側に延びて前記枠材に対向する第２見込み面とを有して形成され、前記錠装置本体の錠連動部と錠係合部とは、前記第１見込み面の見付け方向内方側から前記室外側見付け面の室外側に延びて設けられる連結部材を介して連結され、前記錠装置本体の錠係合部は、前記第２見込み面に沿って上下移動自在に支持され、前記錠受け部は、前記第２見込み面と対向する前記枠材の見込み面に設けられていることが好ましい。
このような構成によれば、縦框に第１および第２の見込み面と室外側見付け面とを形成し、室外側見付け面よりも室外側に延びる連結部材を介して錠連動部と錠係合部とを連結し、第２見込み面に沿って上下移動自在に錠係合部を支持したことで、錠連動部と錠係合部とが見込み方向に並んで設けられることとなり、これらが見付け方向に並んだ場合と比較して、縦框の見付け寸法を一層小型化することができる。さらに、錠係合部および錠受け部が縦框の室外側見付け面よりも室外側に位置することで、これらの係合部分を室内側から見えないように隠蔽することができ、建具の意匠性をさらに向上させることができる。
【００１４】
さらに、本発明の建具では、前記縦框の第１見込み面と室外側見付け面との交差位置、および前記第２見込み面の室外側端部位置の少なくとも一方には、前記枠材と気密材を介して当接する気密ラインが設けられていることが好ましい。
このような構成によれば、第１見込み面と室外側見付け面との交差位置に気密ラインを設ければ、この室内側の気密ラインよりも室外側にて錠係合部と錠受け部とを係合させることができ、係合部分をより一層目立たないようにできる。また、第２見込み面の室外側端部位置に気密ラインを設ければ、この室外側の気密ラインよりも室内側にて錠係合部と錠受け部とを係合させることができ、係合部分への外気の影響（雨がかりや埃等の付着）を排除することができ、係合部分の動作を安定化させることができる。さらに、室内側および室外側の両方の気密ラインを設ければ、建具の意匠性と係合部分の動作安定性とを両立させることができる。
【００１５】
また、本発明の建具では、前記面材は、閉鎖位置から所定距離だけ室内側に移動された第１開放位置から左右の少なくとも一方にスライドされた第２開放位置まで開放操作され、前記第１開放位置にスライドされてから室外側の閉鎖位置に移動されて閉鎖位置まで閉鎖操作されることが好ましい。
このような構成によれば、室内側の第１開放位置に移動されてからスライド開放される面材において、前述のような錠装置を用いることで、面材の開放時に錠装置本体や操作部材が邪魔にならず、開閉を円滑に実施することができる。すなわち、施錠位置や解錠位置では、操作部材が縦框の長手方向に沿って位置するので、面材の室内側側面から突出することがなく、スライド開閉する際に操作部材が室内側の他の部材（例えば、他の面材や戸袋、室内ブラインド、カーテン等）や内装材、家具、調度品などに干渉することが防止できる。
【００１６】
さらに、本発明の建具では、前記面材は、閉鎖位置において互いに略同一面内に隣接する少なくとも一対で構成され、これら一対の面材における互いに対向した縦框の見込み面同士の隙間に前記錠装置本体の錠操作部が位置し、室内側に開口した当該隙間の開口部から前記錠操作部の操作部材が室内側に回動操作可能に構成されていることが好ましい。
このような構成によれば、閉鎖位置において略同一面内に隣接する一対の面材における対向した縦框の見込み面同士の隙間に、前述のように見付け寸法が小型化できる錠操作部を設けたことで、縦框の隙間寸法を小さくすることができ、建具の意匠性をさらに良好にすることができる。そして、隙間の開口部から室内側に突出した中間位置から解錠位置または施錠位置に向かって押し込み操作するだけで、解錠または施錠することができるので、縦框同士の隙間を小さくしても操作性が阻害されることがなく、施解錠の操作を確実に実施することができる。
【００１７】
一方、本発明のカーテンウォールは、建物の外壁面に設けられる外側面体と、この外側面体の室内側に設けられる中間空間と、この中間空間と室内空間とを仕切る内側面体とを備えたカーテンウォールであって、前記内側面体が前記いずれかの建具で構成されたことを特徴とする。
このような建具によれば、前述と同様に、内側面体を構成する建具における枠材や框材の見付け寸法を小型化することができるとともに、内側面体の室内面をフラットに形成して建具の意匠性を向上させることができる。従って、開放感に優れたダブルスキンタイプのカーテンウォールを構築することができる。
【発明を実施するための最良の形態】
【００１８】
以下、本発明の実施形態を図面に基づいて説明する。
図１は、本発明の実施形態に係るカーテンウォール１を示す横断面図である。
図１において、カーテンウォール１は、建物の外壁面を構成するもので、建物の梁や床等に適宜なファスナーを介して固定された方立２や横材（不図示）と、方立２や横材に支持された外側面体としての外面ガラスパネル３と、この外面ガラスパネル３の室内側に対向し方立２や横材に開閉自在に支持された面材としての室内障子４と、外面ガラスパネル３と室内障子４との間に形成された中間空間５とを備えたダブルスキンタイプのカーテンウォールである。室内障子４は、上框、下框（不図示）および左右の縦框６と、これらを四周框組みした内部に嵌め込まれたガラスパネル７とを有して構成され、横材に形成された図示しない上レールや下レールに支持され、図１に実線で示す閉鎖位置から開放操作されて仮想線（二点鎖線）で示すように開放可能に構成されている。
【００１９】
方立２は、それぞれアルミ形材製の方立材２Ａ，２Ｂを左右一対で組み合わせて構成され、これらの方立材２Ａ，２Ｂ間に適宜な気密材や水密材が設けられている。そして、方立２は、全体略矩形状に形成され、見込み方向（室内外方向）に沿った一対の見込み面２Ｃと室内側に位置する見付け面２Ｄとを有して構成されている。このような方立２は、閉鎖状態の室内障子４の四周に位置する枠体の一部（縦枠材）を構成するものであり、すなわち、方立２および横材（上レール材や下レール材）で構成される枠体と室内障子４とを有して本発明の建具が構成されている。また、方立２は、建物の外壁面に沿って左右に複数本が設けられ、これらの隣接する方立２間の複数スパンにガラスパネル７および室内障子４が設けられている。そして、室内障子４は、以下に説明する錠装置１０によって方立２（枠体）に対して移動不能に施錠されるようになっている。
【００２０】
図２および図３は、それぞれ方立２および室内障子４の縦框６を拡大して示す横断面図であり、錠装置１０を説明する図である。図４および図５は、室内障子４の縦框６を示す側面図であり、錠装置１０の錠操作部１３を示す図である。
図２および図３において、縦框６は、ガラスパネル７を保持するパネル保持部６１と、パネル保持部６１の見付け方向外側に設けられた室内側中空部６２と、パネル保持部６１の見込み方向室外側に設けられた室外側中空部６３とを有して、全体クランク状に形成されている。そして、縦框６は、室内側中空部６２の見付け方向外側にて見込み方向に延びる第１見込み面６４と、室外側中空部６３の見付け方向外側にて見込み方向に延びる第２見込み面６５と、室内側中空部６２と室外側中空部６３とを連結して見付け方向に延びる室外側見付け面６６とを有して構成されている。第１見込み面６４と室外側見付け面６６との交差位置には、気密材保持部６７が形成され、この気密材保持部６７に保持された気密材６７Ａが方立２の見付け面２Ｄに当接可能に構成されている。一方、方立２の見込み面２Ｃには、見付け方向内方に突出して気密材保持部２Ｅが設けられ、この気密材保持部２Ｅに保持された気密材２Ｆが縦框６の室外側中空部６３室外面に当接可能に構成されている。
【００２１】
錠装置１０は、いわゆるグレモン錠であって、縦框６に設けられる錠装置本体１１と、方立２の見込み面２Ｃに固定される錠受け部１２（図３）とを備えて構成されている。錠装置本体１１は、縦框６の第１見込み面６４に設けられる錠操作部１３と、この錠操作部１３の操作に連動する錠連動部１４と、この錠連動部１４に連結されるとともに上下移動自在に支持された連結部材１５Ａ，１５Ｂと、この連結部材１５Ｂに固定されるとともに縦框６の第２見込み面６５に沿って上下移動自在に支持されたスライド部材１６と、このスライド部材１６に固定されて錠受け部１２と係合可能な錠係合部としての複数の係合ピン１７とを有して構成されている。スライド部材１６は、図４および図５に示すように、縦框６の長手方向（上下方向）に沿って長尺状に形成され、係合ピン１７は、錠連動部１４等の位置に対して上下に各々２箇所ずつ、計４箇所においてスライド部材１６から方立２に突出して固定されている。そして、４箇所の係合ピン１７に対応した方立２の長手方向に沿った所定位置に、錠受け部１２が設けられ、図３に示すように、錠受け部１２の室外側に係合ピン１７が係合するように構成されている。この係合により縦框６（室内障子４）が室外側に引き寄せられることで、気密材６７Ａが方立２の見付け面２Ｄに押圧されるとともに、室外側中空部６３室外面が気密材２Ｆに押圧され、室内空間と中間空間５との気密性が確保されるようになっている。
【００２２】
錠操作部１３は、台座１３１と、操作部材である操作レバー１３２と、回転軸１３３とを少なくとも有して構成され、操作レバー１３２の回動操作が後述する操作伝達機構１３９および回転軸１３３を介して錠連動部１４に伝達されるようになっている。錠連動部１４は、縦框６の室内側中空部６２内部（第１見込み面６４の内面）に固定されるとともに、後述するカム１４１等を有して構成されており、回転軸１３３から伝達された操作レバー１３２の回動操作を上下駆動力に変換するようになっている。そして、錠連動部１４の上下駆動力出力部には、第１の連結部材１５Ａが連結され、この連結部材１５Ａは、縦框６の室外側見付け面６６に設けた開口（切欠き）を介して室内側中空部６２から室外側に突出して設けられている。そして、第１の連結部材１５Ａには、断面略Ｌ字形に形成された第２の連結部材１５Ｂが固定されており、この連結部材１５Ｂは、縦框６の第２見込み面６５に沿って室外側に延び、その先端部にスライド部材１６が固定されている。スライド部材１６は、図４、５にも示すように、縦框６の長手方向に沿った適宜な位置に複数設けられたスライド支持材１８に支持され、連結部材１５Ａ，１５Ｂを介して伝達された錠連動部１４からの上下駆動力を受け、図４に示すように係合ピン１７が錠受け部１２に係合した施錠位置から、図５に示すように係合ピン１７と錠受け部１２との係合が外れる解錠位置までの間を上下スライド移動するようになっている。
【００２３】
次に、図６〜図８に基づいて、錠操作部１３の構造を詳しく説明する。
図６は、錠操作部１３の外観および操作状態を示す斜視図である。図７は、錠操作部１３を分解して示す分解斜視図である。図８は、錠操作部１３および錠連動部１４を展開して示す側面図である。
【００２４】
錠操作部１３は、縦框６の第１見込み面６４に固定される台座１３１と、この台座１３１に回動自在に支持される操作レバー１３２と、操作レバー１３２の回動操作を錠連動部１４に伝達する回転軸１３３とを有して構成されている。操作レバー１３２は、板材から形成されて基端部が台座１３１に連結されるとともに、その先端部に引き出し操作するための操作孔１３２Ａが設けられている。そして、操作レバー１３２は、図６に示すように、縦框６の長手方向に沿った下向きの位置（施錠位置）から、略９０°だけ回動して室内側に突出した中間位置を経由して、縦框６の長手方向に沿った上向きの位置（施錠位置から略１８０°回動された位置であり、解錠位置）まで回動操作可能に構成されている。台座１３１は、図７に示すように、裏板１３４およびベース部材１３５と、これらの裏板１３４およびベース部材１３５で挟まれた内部に回動自在に支持される第１および第２の伝達部材１３６，１３７と、ベース部材１３５に取り付けられて第１伝達部材１３６の位置を規制する一対の規制部材１３８とを有して構成されている。
【００２５】
第１伝達部材１３６は、ベース部材１３５の開口を介して操作レバー１３２の基端部とビス止めにより連結され、ベース部材１３５の開口周辺に回動自在に支持されている。この第１伝達部材１３６には、第２伝達部材１３７を回動自在に支持する支持孔１３６Ａと、支持孔１３６Ａの一部を拡径した略扇形の伝達凹部１３６Ｂと、当該第１伝達部材１３６の周縁２箇所に形成されて規制部材１３８に係止される凹み１３６Ｃ（図８参照）とが形成されている。一方、第２伝達部材１３７は、裏板１３４の支持孔１３４Ａに軸支されており、回転軸１３３を回動不能に固定する軸固定孔１３７Ａと、第１伝達部材１３６側に突出して支持孔１３６Ａに挿入される軸部１３７Ｂと、この軸部１３７Ｂの一部を径方向に突出させた伝達凸部１３７Ｃとを有して構成されている。そして、伝達凸部１３７Ｃは、伝達凹部１３６Ｂに遊挿されており、所定の回転角度分だけ第１伝達部材１３６と第２伝達部材１３７とが互いに空回りし、伝達凸部１３７Ｃが伝達凹部１３６Ｂの側壁部に当接した状態において、この当接方向に第１伝達部材１３６と第２伝達部材１３７とが一体的に回転するように構成されている。
【００２６】
具体的には、第１伝達部材１３６における伝達凹部１３６Ｂの側壁部間の角度は、略１２０°に形成され、第２伝達部材１３７における伝達凸部１３７Ｃの側壁部間の角度は、略３０°に形成されている。従って、伝達凹部１３６Ｂの角度から伝達凸部１３７Ｃの角度を差し引いた角度である９０°だけ、第１伝達部材１３６と第２伝達部材１３７とが互いに空回りするように構成されている。そして、９０°だけ空回りした状態で、伝達凹部１３６Ｂの側壁部と伝達凸部１３７Ｃの側壁部とが当接し、９０°を超えて第１伝達部材１３６が回動すると、伝達凹部１３６Ｂと伝達凸部１３７Ｃとの係合により、第２伝達部材１３７が回動され、回転軸１３３に回動操作が伝達されるようになっている。また、操作レバー１３２が施錠位置にある場合と解錠位置にある場合とにおいて、第１伝達部材１３６の凹み１３６Ｃが規制部材１３８に係止され、第１伝達部材１３６および操作レバー１３２が位置決めされるようになっている。以上のような第１伝達部材１３６および第２伝達部材１３７によって、所定の回動範囲では操作レバー１３２の回動操作を回転軸１３３および錠連動部１４に伝達せず、所定の回動範囲を超えた場合に回動操作を伝達する操作伝達機構１３９が構成されている。
【００２７】
以上のようにして回転軸１３３を介して操作レバー１３２の回動操作が伝達された場合に、錠連動部１４は、回転軸１３３の回転を上下駆動力に変換する。この錠連動部１４は、図８に示すように、回転軸１３３の先端側に固定されたカム１４１と、第１の連結部材１５Ａを上下スライド自在に支持する支持長孔１４２とを有して構成されている。そして、連結部材１５Ａには、カム１４１の先端部に設けられたピンを受け入れて案内する案内長孔が形成されており、回転軸１３３の回転によりカム１４１が回動することで、連結部材１５Ａが上下移動するように構成されている。このように連結部材１５Ａが上下移動することで、この連結部材１５Ａに固定された第２の連結部材１５Ｂと、この連結部材１５Ｂに固定されたスライド部材１６と、スライド部材１６に固定された係合ピン１７とが、施錠位置と解錠位置との間を上下に移動することとなり、係合ピン１７と錠受け部１２との係合または係合解除が切り換えられるようになっている。
【００２８】
次に、図９〜図１１に基づいて、錠装置１０の施解錠動作および室内障子４の開閉動作について説明する。
図９(Ａ)〜(Ｃ)は、錠装置１０の解錠動作を示す側面図であり、図１０(Ａ)〜(Ｃ)は、錠装置１０の施錠動作を示す側面図である。図１１は、室内障子４の開閉動作を示す横断面図である。
【００２９】
室内障子４が閉鎖され、図９(Ａ)に示すように錠装置１０が施錠位置にある場合に、室内障子４を開放する際には、先ず、操作レバー１３２の操作孔１３２Ａに指や鉤棒を引っ掛けて操作レバー１３２を引き出し、図９(Ｂ)に示すように中間位置まで室内側に回動させる。この際、前述のように、第１伝達部材１３６の伝達凹部１３６Ｂと第２伝達部材１３７の伝達凸部１３７Ｃとが空回りし、第２伝達部材１３７および回転軸１３３は回動しない、つまり操作レバー１３２の回動操作が錠連動部１４に伝達されないようになっている。そして、この状態で操作レバー１３２を放せば、操作レバー１３２は、重力によって施錠位置に戻るようになっている。一方、図９(Ｂ)に示す中間位置から操作レバー１３２を上方かつ室外側に回動操作すると、第１伝達部材１３６の伝達凹部１３６Ｂと第２伝達部材１３７の伝達凸部１３７Ｃとが係合し、第２伝達部材１３７および回転軸１３３が回動する、つまり操作レバー１３２の回動操作が錠連動部１４に伝達される。これにより、前述のカム１４１によって連結部材１５Ａが下方に移動され、係合ピン１７と錠受け部１２との係合が解除されて解錠される。
【００３０】
以上のようにして開放しようとする室内障子４における左右の錠装置１０を解錠したら、図１１に示すように、先ず、室内障子４を室内側に所定距離だけ移動して第１開放位置（図１１中、左上の位置）まで開放する。ここで、第１開放位置としては、縦框６の室外側端部（室外側中空部６３室外面）が隣接する室内障子４の室内側側面よりも室内側まで移動した位置であって、縦框６が隣接する室内障子４に当接しない位置である。次に、室内障子４を左右いずれかにスライドさせて、隣接する室内障子４の室内側に重なる第２開放位置まで開放する。一方、室内障子４を閉鎖する場合には、上述と逆の手順で、第２開放位置から第１開放位置までスライドさせてから、第１開放位置から室外側に押し出すようにし移動させ、気密材６７Ａ，２Ｆを介して室内障子４を方立２や横材に押し当てる。
【００３１】
このように室内障子４を閉鎖位置まで移動させたら、図１０(Ａ)に示すように解錠位置にある錠装置１０の操作レバー１３２を引き出し、図１０(Ｂ)に示すように中間位置まで室内側に回動させる。この際、前述のように、第１伝達部材１３６の伝達凹部１３６Ｂと第２伝達部材１３７の伝達凸部１３７Ｃとが空回りし、第２伝達部材１３７および回転軸１３３は回動しない、つまり操作レバー１３２の回動操作が錠連動部１４に伝達されないようになっている。そして、図１０(Ｂ)に示す中間位置から操作レバー１３２を下方かつ室外側に回動操作すると、第１伝達部材１３６の伝達凹部１３６Ｂと第２伝達部材１３７の伝達凸部１３７Ｃとが係合し、第２伝達部材１３７および回転軸１３３を介して操作レバー１３２の回動操作が錠連動部１４に伝達される。これにより、前述のカム１４１によって連結部材１５Ａが上方に移動され、係合ピン１７と錠受け部１２とが係合して施錠される。
【００３２】
このような本実施形態によれば、以下のような効果がある。
（１）すなわち、室内障子４の縦框６の第１見込み面６４に錠操作部１３が設けられ、施錠位置および解錠位置において操作レバー１３２が下向きや上向きになるように支持されているので、常時において操作レバー１３２を含む錠装置１０が室内側に突出することがない。従って、室内障子４の室内側に余計なふところ空間を形成する必要がなく、カーテンウォールにおける内側面体の見込み寸法の拡大が防止できる。そして、錠操作部１３を含む錠装置１０が室内側に突出しないことで、室内障子４の室内面をフラットに形成することができ、内観の意匠性を向上させることができる。
【００３３】
（２）そして、第１見込み面６４に錠操作部１３が設けられているので、縦框６の見付け寸法を小型化することができる。さらに、解錠位置または施錠位置まで操作レバー１３２を押し込むようにして操作することができるので、手で掴まなくても手のひらで押すだけで操作可能となり、操作レバー１３２を見付け方向に薄型化することができ、縦框６から見付け方向外側への錠操作部１３の突出寸法も小さくすることができる。従って、小型化可能な錠操作部１３を縦框６の第１見込み面６４に設けたことで、縦框６のみならず縦枠体としての方立２の見付け寸法が小さくできるとともに、錠装置１０が目立たず意匠性に優れた内観を構成することができる。
【００３４】
（３）さらに、縦框６の室外側見付け面６６よりも室外側に延びる連結部材１５Ａ，１５Ｂを介して、錠連動部１４とスライド部材１６および係合ピン１７とが連結され、第２見込み面６５に沿って上下移動自在にスライド部材１６が支持されているので、錠連動部１４とスライド部材１６および係合ピン１７とが見込み方向に並んで設けられることとなり、これらが見付け方向に並んだ場合と比較して、縦框６の見付け寸法を一層小型化することができる。そして、係合ピン１７および錠受け部１２が縦框６の室外側見付け面６６よりも室外側に位置することで、これらの係合部分を室内側から見えないように隠蔽することができ、意匠性をさらに向上させることができる。
【００３５】
（４）また、縦框６と方立２との間に形成される室内外２箇所の気密ライン（気密材６７Ａおよび気密材２Ｆ）の間に、係合ピン１７および錠受け部１２が設けられているので、これらの係合部分をより一層目立たないようにできるとともに、係合部分への外気の影響（雨がかりや埃等の付着）を排除することができ、係合部分の動作を安定化させることができる。
【００３６】
（５）また、係合ピン１７と錠受け部１２とがそれぞれ複数箇所に設けられているので、施錠強度を高めることができ、施錠状態における室内障子４の移動や脱落を確実に防止することができる。さらに、縦框６の長手方向に沿ってスライド移動自在な長尺状のスライド部材１６に係合ピン１７が固定されているので、複数の係合ピン１７および錠受け部１２を互いに離隔した位置に設けることができ、施錠状態において室内障子４が傾斜するような移動を確実に防止し、施錠強度をさらに高めることができる。
【００３７】
なお、本発明は、前記実施形態に限定されるものではなく、本発明の目的を達成できる他の構成等を含み、以下に示すような変形等も本発明に含まれる。
例えば、前記実施形態においては、ダブルスキンタイプのカーテンウォール１における内側面体を構成する面材としての室内障子４を施錠する錠装置１０について説明したが、本発明の錠装置は、開き窓や縦辷り出し窓、引違い窓、片引き窓、上げ下げ窓などの一般的な窓（建具）や、ドアや引き戸等の出入り口用建具に用いることが可能である。その場合には、窓枠や建具枠によって枠体が構成され、障子や扉によって面材が構成されていればよい。
また、前記実施形態では、錠装置本体１１を面材である室内障子４の縦框６に設け、錠受け部１２を枠体である方立２に設けたが、これに限らず、枠体側に錠装置本体を設け、框材側に錠受け部を設けてもよい。さらに、枠材や框材としては、縦枠材や縦框に限らず、上枠や上框でもよく、下枠や下框でもよい。
【００３８】
また、前記実施形態では、操作伝達機構を第１伝達部材１３６の伝達凹部１３６Ｂと第２伝達部材１３７の伝達凸部１３７Ｃとで構成したが、これに限らず、操作伝達機構としては、例えば、適宜なギアの噛み合わせを利用した機構や、カムとカム受けとの組合せによる機構、円盤同士の摩擦を利用したクラッチ機構など、任意の構造を有したものが採用可能である。
また、前記実施形態では、カム１４１を有した錠連動部１４を用いた例を説明したが、錠連動部の構造は、特に限定されず、例えば、適宜なギアの噛み合わせを利用したものでもよく、ピニオン−ギアを用いた構造でもよい。
【００３９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４０】
【図１】本発明の実施形態に係るカーテンウォールを示す横断面図である。
【図２】前記カーテンウォールの一部を拡大して示す横断面図である。
【図３】前記カーテンウォールの一部を拡大して示す横断面図である。
【図４】前記カーテンウォールにおける面材の縦框を示す側面図である。
【図５】前記カーテンウォールにおける面材の縦框を示す側面図である。
【図６】前記実施形態における錠装置の錠操作部を示す斜視図である。
【図７】前記錠操作部を示す分解斜視図である。
【図８】前記錠操作部および錠連動部を展開して示す側面図である。
【図９】(Ａ)〜(Ｃ)は、前記錠装置の解錠動作を示す側面図である。
【図１０】(Ａ)〜(Ｃ)は、前記錠装置の施錠動作を示す側面図である。
【図１１】前記面材の開閉動作を示す横断面図である。
【符号の説明】
【００４１】
２…枠体である方立、２Ｃ…見込み面、２Ｆ…気密材、３…外側面体である外面ガラスパネル、４…面材である室内障子、５…中間空間、６…框材である縦框、７…パネル材であるガラスパネル、１０…錠装置、１１…錠装置本体、１２…錠受け部、１３…錠操作部、１４…錠連動部、１５Ａ，１５Ｂ…連結部材、１６…スライド部材、１７…錠係合部である係合ピン、６４…第１見込み面、６５…第２見込み面、６６…室外側見付け面、６７Ａ…気密材、１３２…操作部材である操作レバー、１３３…回転軸、１３６…第１伝達部材、１３６Ｂ…伝達凹部、１３７…第２伝達部材、１３７Ｃ…伝達凸部、１３９…操作伝達機構。
【図１】
2009019456.tif 000003
【図２】
2009019456.tif 000004
【図３】
2009019456.tif 000005
【図４】
2009019456.tif 000006
【図５】
2009019456.tif 000007
【図６】
2009019456.tif 000008
【図７】
2009019456.tif 000009
【図８】
2009019456.tif 000010
【図９】
2009019456.tif 000011
【図１０】
2009019456.tif 000012
【図１１】
2009019456.tif 000013